(57)【要約】      （修正有）【課題】小型化や軽量化を図りつつ２以上の径を有するディスクをローディングする。【解決手段】光ディスクの搬送方向に移動可能なスライダ２１と、該スライダに設けられ、光ディスクの搬送方向と直交する方向に移動し、互いに近接する方向に付勢されたガイド部材２２，２３と、該ガイド部材に設けられ、各端部に光ディスクの外周部に係合するガイドローラ３７ａ，３７ｂ，３９ａ，３９ｂが設けられ、基端側が該スライダに回動可能に取り付けられた回動アーム２４，２５と、該スライダに設けられ、一対のガイド部材が互いに近接離間する方向に移動させる連結ギヤ３５とを備える。光ディスクが挿入されると、該連結ギヤによって該ガイド部材が互いに離間方向に移動し、光ディスクによって該回動アームが回動して該ガイドローラに係合し、該スライダが光ディスクの挿入方向にスライドし、光ディスクが該ガイドローラに係合保持された状態で回転位置に移動される。【選択図】図３
2005251362.tif 000002
【特許請求の範囲】
【請求項１】
ディスクの搬送方向に移動可能なスライダと、
上記スライダに設けられ、上記ディスクの搬送方向と直交する方向に互いに近接離間する一対のガイド部材と、
上記ガイド部材の各々に設けられ、少なくとも各端部に上記ディスクの外周部に係合するガイドローラが設けられ、基端側が上記ガイド部材に回動可能に取り付けられた一対の回動アームと、
上記スライダに設けられ、上記一対のガイド部材が互いに近接離間する方向に移動させるリンク機構とを備え、
上記ディスクが挿入されると、上記リンク機構によって上記一対のガイド部材が互いに離間する方向に移動し、上記ディスクによって上記回動アームが回動することによって各回動アームの各端部に設けられた少なくとも一対のガイドローラに係合し、上記スライダが上記ディスクの挿入方向にスライドすることによって、上記ディスクが一対のガイドローラによって係合保持された状態で上記ディスクの回転位置に移動されるディスクローディング装置。
【請求項２】
更に、上記スライダをスライドさせる駆動機構と、
上記少なくとも一方の回動アームの回動量を検出する上記ディスクの挿入を検出する検出機構とを備え、
上記検出機構は、上記少なくとも一方の回動アームに設けられた突起又は上記ディスクによって押圧されて回動される回動部材と、上記回動部材の回動を検出する検出素子とを有し、
上記駆動機構は、上記検出素子より検出信号が発生されたとき、上記スライダを上記ディスクの挿入方向にスライドさせる請求項１記載のディスクローディング装置。
【請求項３】
該装置には、第１の直径を有する第１のディスクとこの第１のディスクより小径の第２のディスクとが挿入可能であり、
上記回動部材には、上記第１のディスクが挿入されたとき、上記突起が進入する溝部が設けられ、この溝部内に上記突起により押圧される第１の被押圧部が設けられると共に、上記第２のディスクが挿入されたとき、上記突起により押圧される第２の被押圧部が設けられており、
上記回動部材は、上記第１のディスクが挿入されたとき、上記突起によって上記第１の被押圧部が押圧されることで回動して上記検出素子を押圧し、上記第２のディスクが挿入されたとき、上記突起によって第２の被押圧部が押圧されることで回動して上記検出素子を押圧する請求項２記載のディスクローディング装置。
【請求項４】
上記一対の回動アームは、上記ディスクの挿入側となる先端側のガイドローラが互いに離間し、基端側のガイドローラが互いに近接するように回動付勢されている請求項１記載のディスクローディング装置。
【請求項５】
イジェクト時には、上記一対の回動アームがディスク外周を押圧して、上記ディスクが装置外部へ排出され、上記一対の回動アームの回動領域及び上記回動アームに対する回動付勢力に応じて上記ディスクの押し出し量が調整可能とされたことを特徴とする請求項１に記載のディスクローディング装置。
【請求項６】
更に、上記ディスクの回転位置において、上記ガイドローラと上記ディスクとの係合状態を解除する解除機構を備え、
上記解除機構は、上記ディスクが回転位置まで搬送されると、上記一対の回動アームの基端側のガイドローラを互いに離間する方向に回動させる解除部材を有する請求項１記載のディスクローディング装置。
【請求項７】
ディスクを回転するディスク回転駆動機構と、
上記ディスク回転駆動機構に装着された回転可能なディスクに対して情報信号の記録及び／又は再生を行う記録及び／又は再生手段と、
上記ディスクを挿入位置と上記ディスク回転駆動機構による回転位置とに亘って搬送するローディング機構とを備え、
上記ローディング機構は、ディスクの搬送方向に移動可能なスライダと、上記スライダに設けられ、上記ディスクの搬送方向と直交する方向に互いに近接離間する一対のガイド部材と、上記ガイド部材の各々に設けられ、少なくとも各端部に上記ディスクの外周部に係合するガイドローラが設けられ、基端側が上記ガイド部材に回動可能に取り付けられた一対の回動アームと、上記スライダに設けられ、上記一対のガイド部材が互いに近接離間する方向に移動させるリンク機構とを有し、
上記ディスクが挿入されると、上記リンク機構によって上記一対のガイド部材が互いに離間する方向に移動し、上記ディスクによって上記回動アームが回動することによって各回動アームの各端部に設けられた少なくとも一対のガイドローラに係合し、上記スライダが上記ディスクの挿入方向にスライドすることによって、上記ディスクが一対のガイドローラによって係合保持された状態で上記ディスクの回転位置に移動される光ディスク装置。
【発明の詳細な説明】
【技術分野】
【０００１】
本発明は、ディスク挿脱口から光ディスク等のディスクを直接挿入し排出することができるスロットイン型のディスクローディング装置及び光ディスク装置に関する。
【背景技術】
【０００２】
ＣＤ(Compact Disk)やＤＶＤ(Digital Versatile Disk)といった光ディスクの記録再生を行うディスクドライブ装置には、筐体に設けられた蓋や扉を開放し、外部に臨んだディスク挿脱口からディスクを直接挿入するスロットイン型のディスクローディング装置がある（特許文献１参照）。スロットイン型のディスクローディング装置は、ディスク挿脱口から光ディスクが挿入されると、互いに対向する一対の搬送ローラの間に挿入された光ディスクが挟まれ、一対の搬送ローラが互いに逆向きに回転することによって光ディスクが内部に引き込まれ、また、内部の光ディスクが外部に排出される。
【０００３】
このディスクローディング装置は、例えばノート型のパーソナルコンピュータ等の小型の情報処理装置に内蔵される。ディスクローディング装置は、情報処理装置の小型化に相俟って小型化の要請がある。スロットイン型のディスクローディング装置は、ディスクトレイに光ディスクを載置して光ディスクのローディングを行うディスクローディング装置に比べ、ディスクトレイを用いないことから小型化や軽量化に有利である。現在、直径が８ｃｍの光ディスクと１２ｃｍの光ディスクとがあるが、特許文献１のディスクローディング装置は、直径が８ｃｍの光ディスクにもアダプタを取り付けることなくローディングが可能であり、使い勝手も良い。
【０００４】
しかしながら、スロットイン型のディスクローディング装置にあっても、搭載される情報処理装置の小型化の要請に伴って更なる小型化や軽量化が臨まれている。特許文献１のディスクローディング装置は、搬送ローラに光ディスクの直径である１２ｃｍより長いローラを使用する必要があり、また、搬送する光ディスクを挟む上下一対の搬送ローラの径によって装置全体の厚みも増すため、更なる小型化や薄型化は困難である。
【０００５】
そこで、小型化や薄型化が可能なスロットイン型のディスクローディング装置として、光ディスクと平行な面内で互いに協働しながら回動される３本の回動アームによって、ディスク挿脱口から挿入された８ｃｍ又は１２ｃｍの光ディスクを筐体の内部へと引き込むローディング動作と光ディスクをディスク挿脱口から筐体の外部へと排出するイジェクト動作とを行う装置がある（例えば、特許文献２参照。）。
【０００６】
しかしながら、特許文献２のディスクローディング装置は、３本の回動レバーを用いており、例えレバーの回動角を変えて対応しても直径が１２ｃｍの光ディスクと直径が８ｃｍの光ディスクをローディングすることは困難である。特許文献２のディスクドライブ装置において、直径が１２ｃｍの光ディスクに加え直径が８ｃｍの光ディスクをアダプタ無しにローディングできるようにするには、直径が８ｃｍの光ディスクに対応した専用の回動レバーを更に３本設けるか又は回動レバーを伸縮させ２つの光ディスクをローディングできるようにする必要がある。このような構成のディスクドライブ装置は、部品点数が増えるばかりか構成も複雑化し、装置全体の小型化や軽量化を図ることはできない。
【０００７】
【特許文献１】特開平７−２２０３５３号公報
【特許文献２】特開２００２−３５２４９８号公報
【発明の開示】
【発明が解決しようとする課題】
【０００８】
本発明は、以上のような問題点に鑑みてなされたものであり、その目的は、装置の小型化や軽量化を図りつつ径の異なる２種類以上のディスクをローディングすることができる新規なディスクローディング装置及び光ディスク装置を提供することにある。
【課題を解決するための手段】
【０００９】
本発明に係るディスクローディング装置は、上述した課題を解決すべく、ディスクの搬送方向に移動可能なスライダと、上記スライダに設けられ、上記ディスクの搬送方向と直交する方向に互いに近接離間する一対のガイド部材と、上記ガイド部材の各々に設けられ、少なくとも各端部に上記ディスクの外周部に係合するガイドローラが設けられ、基端側が上記ガイド部材に回動可能に取り付けられた一対の回動アームと、上記スライダに設けられ、上記一対のガイド部材が互いに近接離間する方向に移動させるリンク機構とを備える。そして、上記ディスクが挿入されると、上記リンク機構によって上記一対のガイド部材が互いに離間する方向に移動し、上記ディスクによって上記回動アームが回動することによって各回動アームの各端部に設けられた少なくとも一対のガイドローラに係合し、上記スライダが上記ディスクの挿入方向にスライドすることによって、上記ディスクが一対のガイドローラによって係合保持された状態で上記ディスクの回転位置に移動される。
【００１０】
また、本発明に係る光ディスク装置は、ディスクを回転するディスク回転駆動機構と、上記ディスク回転駆動機構に装着された回転可能なディスクに対して情報信号の記録及び／又は再生を行う記録及び／又は再生手段と、上記ディスクを挿入位置と上記ディスク回転駆動機構による回転位置とに亘って搬送するローディング機構とを備える。上記ローディング機構は、ディスクの搬送方向に移動可能なスライダと、上記スライダに設けられ、上記ディスクの搬送方向と直交する方向に互いに近接離間する一対のガイド部材と、上記ガイド部材の各々に設けられ、少なくとも各端部に上記ディスクの外周部に係合するガイドローラが設けられ、基端側が上記ガイド部材に回動可能に取り付けられた一対の回動アームと、上記スライダに設けられ、上記一対のガイド部材が互いに近接離間する方向に移動させるリンク機構とを有する。そして、上記ディスクが挿入されると、上記リンク機構によって上記一対のガイド部材が互いに離間する方向に移動し、上記ディスクによって上記回動アームが回動することによって各回動アームの各端部に設けられた少なくとも一対のガイドローラに係合し、上記スライダが上記ディスクの挿入方向にスライドすることによって、上記ディスクが一対のガイドローラによって係合保持された状態で上記ディスクの回転位置に移動される。
【発明の効果】
【００１１】
本発明によれば、ディスクが挿入されると、リンク機構によって一対のガイド部材が互いに離間する方向に移動し、ディスクによって回動アームが回動することによって各回動アームの各端部に設けられた少なくとも一対のガイドローラに係合し、スライダがディスクの挿入方向にスライドすることによって、ディスクが一対のガイドローラによって係合保持された状態でディスクの回転位置に移動される。したがって、一対のガイド部材が互いに離間する移動量の違いのみで、径の異なるディスクの係合保持が可能であり、装置の小型化や軽量化を図りつつ径の異なる２種類以上のディスクをローディングすることができる。
【発明を実施するための最良の形態】
【００１２】
以下、本発明を適用したディスクローディング装置を用いたディスクドライブ装置について図面を参照して説明する。
【００１３】
図１に示すように、本発明を適用したディスクドライブ装置１は、ノート型パーソナルコンピュータ等の小型の情報処理装置１０００の装置本体１００１に内蔵され、ＣＤ(Compact Disk)やＤＶＤ(Digital Versatile Disk)といった直径が１２ｃｍ及び８ｃｍの光ディスク１０をディスクトレイを用いることなくそのままディスク挿脱口より挿入し、記録再生を行うことができるスロットイン型の装置である。なお、以下、直径が１２ｃｍの光ディスクを第１の光ディスク１０ａ、直径が８ｃｍの光ディスクを第２の光ディスク１０ｂともいう。
【００１４】
このディスクドライブ装置１は、図２に示すように、下ケース２とこの下ケース２の上面を閉塞する天板３とで装置本体４を構成している。下ケース２には、光ディスク１０を回転するディスク回転駆動機構１１、ディスク回転駆動機構１１に装着された光ディスク１０に対して光ビームを照射して光ディスク１０で反射した戻りの光ビームを検出する光ピックアップ１２等が設けられている。ディスク回転駆動機構１１や光ピックアップ１２は、下ケース２に取り付けられたベース２６に配設される。
【００１５】
ディスク回転駆動機構１１は、図２に示すように、駆動源となるスピンドルモータ１１ａを有し、このスピンドルモータ１１ａの駆動軸にディスクテーブル１１ｂが一体的に取り付けられてなる。このディスクテーブル１１ｂは、中央部のセンタリング部に光ディスク１０のセンタ孔が係合することによって光ディスク１０と一体的になり、スピンドルモータ１１ａが駆動することによって、光ディスク１０を線速度や角速度一定で回転する。
【００１６】
光ピックアップ１２は、光源となる半導体レーザから出射された光ビームを対物レンズ１２ａにより集光させて光ディスク１０の信号記録面に照射し、この光ディスク１０の信号記録面で反射された戻りの光ビームを光検出器で検出する光学ブロックを有し、光ディスク１０に情報信号を記録し又は光ディスク１０に記録された情報信号の読み出しを行う。この光ピックアップ１２は、対物レンズ１２ａを、対物レンズ１２ａの光軸と平行なフォーカシング方向と対物レンズ１２ａの光軸方向と直交するトラッキング方向とに変位する二軸アクチュエータを有し、上述した光検出器により検出された光ディスク１０からの検出信号に基づいて、光ディスク１０に対する対物レンズ１２ａのフォーカシング制御及びトラッキング制御を行う。
【００１７】
以上のような光ピックアップ１２は、図示しないが、ピックアップ送り機構によりディスク回転駆動機構１１に装着された光ディスク１０の径方向に移動される。具体的に、光ピックアップ１２は、ディスク回転駆動機構１１に装着された光ディスク１０の径方向に延在された一対のガイド軸によって移動可能に支持され、駆動モータにギヤ列等で接続された送りねじによって光ディスク１０の径方向に移動される。
【００１８】
このディスクドライブ装置１には、図１に示すように、図１中矢印Ａ方向から光ディスク１０が挿入される。このディスクドライブ装置１には、図２、図３及び図４に示すように、光ディスク１０のローディング機構２０として、光ディスク１０の搬送方向となる図３及び図４中矢印Ａ方向及び反矢印Ａ方向にスライドするスライダ２１と、このスライダ２１に設けられ、光ディスク１０の搬送方向に対して直交する図３及び図４中矢印Ｂ方向及び反矢印Ｂ方向に移動する一対のガイド部材２２，２３と、一対のガイド部材２２，２３に設けられる一対の回動アーム２４，２５とを備える。
【００１９】
スライダ２１は、図３及び図４に示すように、下ケース２と一体的なベース２６に取り付けられており、図示しないが、複数のガイド突起がベース２６に設けられた複数の直線状のガイド溝に係合することによって光ディスク１０の搬送方向である図３及び図４中矢印Ａ方向及び反矢印Ａ方向にスライド可能に取り付けられている。
【００２０】
このスライダ２１の駆動機構２７は、図３に示すように、ベース２６に設けられている。具体的に、図３に示すように、スライダ２１の駆動機構２７は、駆動源となる駆動モータ２８に複数のギヤ列２９を介して接続される解除部材３１と、この解除部材３１に取り付けられスライダ２１をスライドさせる駆動部材３２と、解除部材３１と駆動部材３２とを接続する付勢部材となるコイルバネ３３とを有する。解除部材３１は、ラックギヤ３１ｂが設けられており、ラックギヤ３１ｂは、ギヤ列２９の最終段と噛合し、駆動モータ２８の駆動力が伝達される。コイルバネ３３は、解除部材３１の係止部３１ａと駆動部材３２の係止部３２ａに係止されることによって、解除部材３１と駆動部材３２とが通常一体的に図３中矢印Ａ方向及び反矢印Ａ方向にスライドするようになっており、駆動部材３２は、駆動モータ２８の駆動によって、スライダ２１を図３中矢印Ａ方向及び反矢印Ａ方向にスライドする。また、駆動部材３２が光ディスク１０を回転位置にまで引き込んだとき、天板３又はベース２６に設けられたストッパ３２ｂに突き当たることで移動不能となり、駆動モータ２８の駆動力が直接伝達されている解除部材３１のみがコイルバネ３３の付勢力に抗して駆動部材３２に対して図３中矢印Ａ方向にスライドする。
【００２１】
この駆動機構２７によってスライドされるスライダ２１には、一対の第１のガイド部材２２と第２のガイド部材２３が取り付けられている。これら第１及び第２のガイド部材２２，２３は、光ディスク１０の搬送方向と直交する図３及び図４中矢印Ｂ方向及び反矢印Ｂ方向に移動可能に取り付けられている。
【００２２】
第１のガイド部材２２は、第１の片２２ａと第２の片２２ｂとを連結部２２ｃで連結してなるものであって、第１の片２２ａと第２の片２２ｂには、図３及び図４中矢印Ｂ方向及び反矢印Ｂ方向の移動をガイドする複数のガイド溝２２ｄが形成されている。ガイド溝２２ｄは、スライダ２１に設けられたガイド突起２１ａが係合される。また、第２のガイド部材２３は、第１のガイド部材２２に重畳されて設けられ、第１の片２３ａと第２の片２３ｂとを連結部２３ｃで連結してなるものであって、第１の片２３ａと第２の片２３ｂには、図３及び図４中矢印Ｂ方向及び反矢印Ｂ方向の移動をガイドする複数のガイド溝２３ｄが形成されている。ガイド溝２３ｄは、スライダ２１に設けられたガイド突起２１ａが係合される。
【００２３】
第１のガイド部材２２の連結部２２ｃには、第１のラックギヤ２２ｅが設けられ、第２のガイド部材２３の連結部２３ｃには、第２のラックギヤ２３ｅが設けられている。第１のラックギヤ２２ｅと第２のラックギヤ２３ｅは、図３及び図４中矢印Ｂ方向及び反矢印Ｂ方向に互いに対向するように設けられ、第１のガイド部材２２と第２のガイド部材２３とをリンクさせるリンク機構となる連結ギヤ３５が噛合される。この連結ギヤ３５は、スライダ２１に設けられている。したがって、第１のガイド部材２２と第２のガイド部材２３とは、連結ギヤ３５で連結されることによって、互いに近接離間する図３及び図４中矢印Ｂ方向及び反矢印Ｂ方向に移動する。
【００２４】
第２のガイド部材２３は、付勢部材であるコイルバネ３６によって図３及び図４中矢印Ｂ方向に付勢されている。具体的に、コイルバネ３６は、一端が第２のガイド部材２３の連結部２３ｃに設けられた係止片３６ａに係止され、他端がスライダ２１に設けられた係止片３６ｂに係止されることによって、図３及び図４中反矢印Ｂ方向に付勢されている。これによって、第２のガイド部材２３と連結ギヤ３５を介して連結された第１のガイド部材２２とは、基本状態が互いに近接する図３及び図４中反矢印Ｂ方向に移動した状態となっている。
【００２５】
第１のガイド部材２２の第１の片２２ａの先端部には、第１の回動アーム２４が取り付けられ、第２のガイド部材２３の第１の片２３ａの先端部には、第２の回動アーム２５が取り付けられている。
【００２６】
第１の回動アーム２４は、基端部となる一方の端部が第１のガイド部材２２の第１の片２２ａの先端部に設けられた支軸２４ａに回動可能に取り付けられていると共に、先端部と基端部の両端に、光ディスク１０の外周部が係合する第１のガイドローラ３７ａ，３７ｂが設けられている。第１の回動アーム２４は、基端部に設けられた係止片３８ａと第１のガイド部材２２の第１の片２２ａに設けられた係止片３８ｂに掛け渡された付勢部材である引っ張りコイルバネ３８によって図３及び図４中矢印Ｃ方向に回動付勢されている。また、第１の回動アーム２４には、中程に、ガイド突起２４ｂが設けられ、このガイド突起２４ｂは、第１のガイド部材２２に設けられた略円弧のガイド溝２４ｃに係合されている。第１の回動アーム２４は、ガイド溝２４ｃの両端にガイド突起２４ｂが当接することによって回動領域が規制される。
【００２７】
第２の回動アーム２５は、基端部となる一方の端部が第２のガイド部材２３の第１の片２３ａの先端部に設けられた支軸２５ａに回動可能に取り付けられていると共に、先端部と基端部の両端に、光ディスク１０の外周部が係合する第２のガイドローラ３９ａ，３９ｂが設けられている。第２の回動アーム２５は、基端部に設けられた係止片４１ａと第２のガイド部材２３の第１の片２３ａに設けられた係止片４１ｂに掛け渡された付勢部材である引っ張りコイルバネ４１によって図３及び図４中矢印Ｃ方向に回動付勢されている。第２の回動アーム２５も、中程に、ガイド突起２５ｂが設けられ、このガイド突起２５ｂは、第２のガイド部材２３に設けられた略円弧のガイド溝２５ｃに係合されている。第２の回動アーム２５は、ガイド溝２５ｃの両端にガイド突起２５ｂが当接することによって回動領域が規制される。
【００２８】
引っ張りコイルバネ３８，４１により図３及び図４中矢印Ｃ方向に回動付勢されている第１及び第２の回動アーム２４，２５は、基本状態において、光ディスク１０の挿入側の第１及び第２のガイドローラ３７ａ，３９ａが離間し、反対側の第１及び第２のガイドローラ３７ｂ，４１ｂが近接する状態にあり、光ディスク１０が挿入されると、支軸２４ａ，２５ａを支点として第１及び第２のガイドローラ３７ｂ，４１ｂが離間する図３及び図４中反矢印Ｃ方向に回動し、第１及び第２のガイドローラ３７ａ，３７ｂ，３９ａ，３９ｂの例えば周回り方向に形成された係合溝で光ディスク１０の外周部を係合保持する。また、引っ張りコイルバネ３８，４１により図３及び図４中矢印Ｃ方向に回動付勢されている第１及び第２の回動アーム２４，２５は、光ディスク１０をイジェクトするとき、光ディスク１０を押し出すイジェクトアームとしても機能する。
【００２９】
第１及び第２の回動アーム２４，２５は、付勢部材となる引っ張りコイルバネ３８，４１の付勢力を調整することで、光ディスク１０のイジェクト時光ディスク１０を外方に押圧するイジェクト力を調整することができる。また、第１及び第２の回動アーム２４，２５は、ガイド突起２４ｂ，２５ｂが係合するガイド溝２４ｃ，２５ｃの長さを変え回動量を調整することによっても、光ディスク１０のイジェクト時、光ディスク１０を押圧している時間を可変することができる。このように、イジェクトアームともしても機能する第１及び第２の回動アーム２４，２５は、その回動付勢力や回動領域を調整することで、光ディスク１０のイジェクト時における光ディスク１０の挿脱口からの突出量を調整することができる。
【００３０】
また、ディスクドライブ装置１には、図２、図３及び図５に示すように、光ディスク１０、具体的に大径の第１の光ディスク１０ａと小径の第２の光ディスク１０ｂの挿入を検出する検出機構５０が設けられている。具体的に、この検出機構５０は、ベース２６に設けられた回動部材５１を有する。この回動部材５１は、ベースに設けられた支軸５１ａを中心に挿入された光ディスク１０に対して近接離間する図３及び図５中矢印Ｄ方向及び反矢印Ｄ方向に回動可能に取り付けられている。回動部材５１には、ベース２６に設けられた係止片５２ａと回動部材５１に設けられた係止片５２ｂとの間に掛け渡された付勢部材となるコイルバネ５２によって、図３及び図５中矢印Ｄ方向に回動付勢されている。また、回動部材５１には、回動規制をするガイド溝５１ｂが形成され、このガイド溝５１ｂには、ベース２６に設けられたガイド突起５１ｃが係合されている。
【００３１】
回動部材５１には、光ディスク１０の搬送路側を開放すると共に光ディスク１０の挿入方向に沿って形成された略Ｌ字状の溝部５４が設けられている。この溝部５４は、具体的に、短辺部５４ａと長辺部５４ｂとから構成されている。この溝部５４には、第２の回動アーム２５のガイド突起２５ｂが係合する。大径の第１の光ディスク１０ａが挿入されたとき、第２の回動アーム２５のガイド突起２５ｂは、短辺部５４ａの開口端より進入し、次いで第２の光ディスク１０が挿入されるに連れて長辺部５４ｂに移動し、長辺部５４ｂの一方の側縁部を押圧する。この長辺部５４ｂの一方の側縁部は、第２の回動アーム２５のガイド突起２５ｂに押圧される第１の被押圧部５５である。
【００３２】
なお、回動部材５１は、光ディスク１０の搬送路側の側縁部が小径の第２の光ディスク１０ｂの外周部に押圧される第２の被押圧部５３となっている。
【００３３】
検出機構５０は、直径の異なる第１の光ディスク１０ａ又は第２の光ディスク１０ｂが挿入されたことを検出する検出素子５６を有する。回動部材５１は、この検出素子５６の操作子を押圧する押圧片５７が設けられている。押圧片５７は、大径の第１の光ディスク１０ａが挿入され第２の回動アーム２５のガイド突起２５ｂにより溝部５４内の第１の被押圧部５５が押圧され、また、小径の第２の光ディスク１０ｂの外周部により第２の被押圧部５３が押圧されることによって、支軸５１ａを中心に、コイルバネ５２の付勢力に抗して図３及び図５中反矢印Ｄ方向に回動し、押圧片５７で検出素子５６の操作子を押圧する。検出素子５６は、押圧片５７によって押圧されたとき、第１の光ディスク１０ａ又は第２の光ディスク１０ｂが挿入されたことを示す検出信号を発生し、制御回路に出力する。このタイミングで、上述したスライダ２１をスライドさせる駆動機構２７の駆動モータ２８は駆動する。
【００３４】
図６（Ａ）〜図６（Ｃ）は、大径の第１の光ディスク１０ａが挿入されたときの検出機構５０の状態を示す。図６（Ａ）に示すように、第１の光ディスク１０ａが挿入されると、最初に、第１の光ディスク１０ａの外周部は、第１及び第２の回動アーム２４，２５の第１及び第２のガイドローラ３７ａ，３９ａに係合し、更に第１の光ディスク１０ａが挿入されることで押圧されると、第１及び第２のガイドローラ３７ａ，３９ａが設けられている第１及び第２の回動アーム２４，２５は、図６（Ｂ）に示すように、支軸２４ａ，２５ａを中心に図６（Ｂ）中反矢印Ｃ方向に回動する。すると、第２の回動アーム２５のガイド突起２５ｂは、回動部材５１の溝部５４の短辺部５４ａに係合する。更に、第１の光ディスク１０ａが挿入されると、図６（Ｃ）に示すように、ガイド突起２５ｂは、溝部５４の長辺部５４ｂに係合し第１の被押圧部５５を押圧し、回動部材５１は、図６（Ｃ）中反矢印Ｄ方向に回動する。回動部材５１は、ガイド突起２５ｂにより第１の被押圧部５５が押圧されることにより回動し、押圧片５７で検出素子５６を押圧する。
【００３５】
図７（Ａ）〜図７（Ｃ）は、小径の第２の光ディスク１０ｂが挿入されたときの検出機構５０の状態を示す。図７（Ａ）に示すように、第２の光ディスク１０ｂが挿入されると、最初に、第２の光ディスク１０ｂの外周部は、第１及び第２の回動アーム２４，２５の第１及び第２のガイドローラ３７ａ，３９ａに係合し、更に第２の光ディスク１０ｂが挿入されることで押圧されると、第１及び第２のガイドローラ３７ａ，３９ａが設けられた第１及び第２の回動アーム２４，２５は、図７（Ｂ）に示すように、支軸２４ａ，２５ａを中心に図７（Ｂ）中反矢印Ｃ方向に回動する。ここで、第２の光ディスク１０ｂは、第１の光ディスク１０ａより小径であるため、第１及び第２の回動アーム２４，２５は、第１の光ディスク１０ａが挿入された場合より互いに近接した位置で回動するため、第２の回動アーム２５のガイド突起２５ｂも回動部材５１の溝部５４の短辺部５４ａに係合しない。しかし、図７（Ｃ）に示すように、更に第２の光ディスク１０ｂが挿入されると、ガイド突起２５ｂによって、回動部材５１の第２の被押圧部５３は、押圧される。すると、回動部材５１は、図７（Ｃ）中反矢印Ｄ方向に回動する。回動部材５１は、ガイド突起２５ｂにより第２の被押圧部５３が押圧されることにより回動し、押圧片５７で検出素子５６を押圧する。
【００３６】
また、ディスクドライブ装置１には、図２、図３及び図８に示すように、回転位置まで挿入された光ディスク１０に係合している第１及び第２のガイドローラ３７ａ，３７ｂ，３９ａ，３９ｂの係合状態を解除する解除機構６０を備える。具体的に、解除機構６０は、天板３側に設けられたカムプレート６１を有する。このカムプレート６１は、回転位置まで挿入された光ディスク１０に係合している第１及び第２のガイドローラ３７ａ，３７ｂ，３９ａ，３９ｂの係合状態を解除する解除部材であり、天板３に、光ディスク１０の搬送方向である図８中矢印Ａ方向及び反矢印Ａ方向に移動可能に取り付けられている。具体的に、カムプレート６１は、天板３に設けられたガイド突起６１ａがカムプレート６１に設けられたガイド溝６１ｂに係合されることにより、光ディスク１０の搬送方向のガイドがされると共に移動領域が規制されている。このカムプレート６１は、一端がカムプレート６１に設けられた係止部６２ａに係止され、他端が天板３に設けられた係止部６２ｂに係止された付勢部材であるコイルバネ６２によって、光ディスク１０の挿入方向である図８中矢印Ａ方向に付勢されている。
【００３７】
カムプレート６１には、移動方向と同方向の両側縁に、大径の第１の光ディスク１０ａが挿入されたとき、第１及び第２の回動アーム２４，２５を更に回動させるカム片６３，６３が設けられている。このカム片６３，６３は、図８中矢印Ａ方向の上手側から下手側に向かって高くなる第１の傾斜カム部６３ａ，６３ａが設けられている。第１の傾斜カム部６３ａ，６３ａは、第１及び第２の回動アーム２４，２５の第１及び第２のガイドローラ３７ｂ，３９ｂに接触し、第１及び第２の回動アーム２４，２５を支軸２４ａ，２５ａを中心に更に図８中反矢印Ｃ方向に回動させる力を与える。その結果、第１のガイド部材２２と第２のガイド部材２３は互いに離間される方向に移動し、第１及び第２のガイドローラ３７ａ，３７ｂ，３９ａ，３９ｂの係合状態を第１の光ディスク１０aの外周部から解除する。
【００３８】
また、カムプレート６１には、移動方向と直交する側縁に、小径の第２の光ディスク１０ｂが挿入されたとき、第１及び第２の回動アーム２４，２５を更に回動させるカム溝６４，６４が設けられている。このカム溝６４，６４には、図８中矢印Ａ方向の上手側から下手側に向かって高くなる第２の傾斜カム部６４ａ，６４ａが設けられている。第２の傾斜カム部６４ａ，６４ａは、第１及び第２の回動アーム２４，２５の第１及び第２のガイドローラ３７ｂ，３９ｂに接触し、第１及び第２の回動アーム２４，２５を支軸２４ａ，２５ａを中心に更に図８中反矢印Ｃ方向に回動させる力を与える。その結果、第１のガイド部材２２と第２のガイド部材２３は、互いに離間される方向に移動し、第１及び第２のガイドローラ３７ａ，３７ｂ，３９ａ，３９ｂの係合状態を第２の光ディスク１０ｂの外周部から解除する。
【００３９】
以上のようなカムプレート６１は、天板３に取り付けられた回動レバー６５により移動される。この回動レバー６５は、その中途部において、天板３に設けられた支軸６５ａにより回動支持されており、一端側にカムプレート６１を押圧する押圧突起６６が設けられ、他端側に、図３及び図８に示した上述したスライダ２１を駆動する駆動機構２７の解除部材３１の先端部により押圧される被押圧突起６７が設けられている。
【００４０】
この回動レバー６５の回動制御は、上述したスライダ２１を駆動する駆動機構２７の解除部材３１により行われる。上述のように、駆動モータ２８の駆動力は、コイルバネ３３で駆動部材３２と一体的に接続された解除部材３１に伝達される。検出機構５０の検出素子５６で光ディスク１０が挿入されたことが検出されると、駆動モータ２８は駆動し、スライダ２１は、駆動モータ２８の駆動力が伝達された解除部材３１とコイルバネ３３を介して一体的な駆動部材３２によって、図８中矢印Ａ方向にスライドされる。スライダ２１に取り付けられた第１及び第２の回動アーム２４，２５の第１及び第２のガイドローラ３７ａ，３７ｂ，３９ａ，３９ｂによって係合保持された光ディスク１０は、スライダ２１がスライドすることにより回転位置まで移動する。このとき、スライダ２１を直接駆動する駆動部材３２は、天板３又はベース２６に設けられたストッパ３２ｂに突き当たり、図８中矢印Ａ方向にスライド不能となり、駆動モータ２８の駆動力が直接伝達されている解除部材３１のみが図８中矢印Ａ方向に移動する。解除部材３１の先端部は、回動レバー６５の被押圧突起６７を押圧する押圧部３１ｃであり、回動レバー６５は、この押圧部３１ｃによって被押圧突起６７が押圧されることで図３及び図８中矢印Ｅ方向に回動する。回動レバー６５は、図３及び図８中矢印Ｅ方向に回動することで、押圧突起６６でカムプレート６１を押圧し、カムプレート６１は、コイルバネ６２の付勢力に抗して図３及び図８中反矢印Ａ方向にスライドする。
【００４１】
図９（Ａ）及び図９（Ｂ）は、大径の第１の光ディスク１０ａが挿入されたときの解除機構６０の状態を示す。図９（Ａ）に示すように、ローディング機構２０は、第１の光ディスク１０ａを回転位置まで引き込む。すると、駆動機構２７を構成するスライダ２１を直接駆動する駆動部材３２は、天板３又はベース２６上のストッパ３２ｂに突き当たり停止する。このとき、未だ、第１及び第２のガイドローラ３７ａ，３７ｂ，３９ａ，３９ｂは、第１の光ディスク１０ａを係合保持しており、回転不能の状態にある。駆動モータ２８が第１の光ディスク１０ａを回転位置まで引き込んだ後も、駆動し続けることで、駆動モータ２８からの駆動力が直接伝達される解除部材３１は、コイルバネ３３を介して接続された駆動部材３２に対して図９（Ａ）中矢印Ａ方向に移動し、解除部材３１の先端部の押圧部３１ｃは、解除機構６０を構成する回動レバー６５の被押圧突起６７を押圧する。これにより、図９（Ａ）中矢印Ｅ方向に回動した回動レバー６５は、押圧突起６６でカムプレート６１を押圧する。回動レバー６５により押圧されたカムプレート６１は、図９（Ｂ）に示すように、コイルバネ６２の付勢力に抗して図９（Ｂ）中反矢印Ａ方向にスライドする。すると、第１の光ディスク１０ａを係合保持することで図８中反矢印Ｃ方向に回動している第１及び第２の回動アーム２４，２５の第１及び第２のガイドローラ３７ｂ，３９ｂは、カムプレート６１の第１の傾斜カム部６３ａ，６３ａにより更に離間する方向に押圧されることで更に回動される力が与えられる。これにより、第１のガイド部材２２と第２のガイド部材２３が互いに離間される方向に移動し、第１の光ディスク１０ａは、第１及び第２のガイドローラ３７ａ，３７ｂ，３９ａ，３９ｂとの係合状態が解除され、ディスク回転駆動機構１１のディスクテーブル１１ｂに装着された状態で、ディスクテーブル１１ｂと一体的に回転可能となる。
【００４２】
図１０（Ａ）及び図１０（Ｂ）は、小径の第２の光ディスク１０ｂが挿入されたときの解除機構６０の状態を示す。図１０（Ａ）に示すように、ローディング機構２０は、第２の光ディスク１０ｂを回転位置まで引き込む。すると、駆動機構２７を構成するスライダ２１を直接駆動する駆動部材３２は、天板３のストッパ３２ｂに突き当たり停止する。このとき、未だ、第１及び第２のガイドローラ３７ａ，３７ｂ，３９ａ，３９ｂは、第２の光ディスク１０ｂを係合保持しており、回転不能の状態にある。駆動モータ２８が第２の光ディスク１０ｂを回転位置まで引き込んだ後も、駆動し続けることで、駆動モータ２８からの駆動力が直接伝達される解除部材３１は、コイルバネ３３を介して接続された駆動部材３２に対して図１０（Ａ）中矢印Ａ方向に移動し、解除部材３１の先端部の押圧部３１ｃは、解除機構６０を構成する回動レバー６５の被押圧突起６７を押圧する。これにより、図１０（Ａ）中矢印Ｅ方向に回動した回動レバー６５は、押圧突起６６でカムプレート６１を押圧する。回動レバー６５により押圧されたカムプレート６１は、図１０（Ｂ）に示すように、コイルバネ６２の付勢力に抗して図１０（Ｂ）中反矢印Ａ方向にスライドする。ここで、小径の第２の光ディスク１０ｂを第１及び第２のガイドローラ３７ａ，３７ｂ，３９ａ，３９ｂで係合保持している回動アーム２４，２５は、第１の光ディスク１０ａを係合保持している場合より互いに近接した位置で回動する。このため、第１及び第２のガイドローラ３７ｂ，３９ｂは、カムプレート６１のカム溝６４，６４に進入し、第２の光ディスク１０ｂを係合保持することで図８中反矢印Ｃ方向に回動している第１及び第２の回動アーム２４，２５の第１及び第２のガイドローラ３７ｂ，３９ｂは、カムプレート６１の第２の傾斜カム部６４ａ，６４ａにより更に離間する方向に押圧されることで更に回動する力が与えられる。これにより第１のガイド部材２２と第２のガイド部材２３が互いに離間される方向に移動し、第２の光ディスク１０ｂは、第１及び第２のガイドローラ３７ａ，３７ｂ，３９ａ，３９ｂとの係合状態が解除され、ディスク回転駆動機構１１のディスクテーブル１１１ｂに装着された状態で、ディスクテーブル１１ｂと一体的に回転可能となる。
【００４３】
次に、以上のように構成されたディスクドライブ装置１に大径の第１の光ディスク１０ａが挿入されてから記録再生が可能な状態になるまでの一連の動作について説明する。図４及び図１１に示すように、光ディスク１０が挿入されていないとき、ローディング機構２０は、スライダ２１を図１１中反矢印Ａ方向にスライドさせた状態にあり、連結ギヤ３５を介して接続された第１のガイド部材２２と第２のガイド部材２３は、互いに近接する図４及び図１１中反矢印Ａ方向にスライドした状態にある。また、第１及び第２の回動アーム２４，２５は、引っ張りコイルバネ３８，４１の付勢力により支軸２４ａ，２５ａを中心に図４及び図１１中反矢印Ｃ方向に回動し、第１及び第２のガイドローラ３７ａ，３９ａが離間した状態にある。
【００４４】
大径の第１の光ディスク１０ａがディスクドライブ装置１の挿脱口より挿入されると、第１の光ディスク１０ａの外周部は、互いに離間している第１及び第２のガイドローラ３７ａ，３９ａに係合する。更に、第１の光ディスク１０ａが手動で押し込まれると、図４及び図１２に示すように、第１及び第２の回動アーム２４，２５は、支軸２４ａ，２５ｂを支点に図４及び図１２中反矢印Ｃ方向に回動し、第１の光ディスク１０ａは、第１及び第２のガイドローラ３７ａ，３７ｂ，３９ａ，３９ｂにより係合保持されることになる。
【００４５】
ここで、図６（Ａ）及び図６（Ｃ）に示すように、第２の回動アーム２５のガイド突起２５ｂは、回動部材５１の溝部５４の短辺部５４ａに係合し、次いで、長辺部５４ｂに係合し、第１の被押圧部５５を押圧する。これにより、回動部材５１は、図１２及び図６（Ｃ）中反矢印Ｄ方向に回動する。回動部材５１は、ガイド突起２５ｂにより第１の被押圧部５５が押圧されることにより回動し、押圧片５７で検出素子５６を押圧する。検出素子５６は、押圧片５７によって押圧されたとき、第１の光ディスク１０ａが挿入されたことを示す検出信号を発生し、制御回路に出力し、制御回路は、このタイミングで、上述したスライダ２１をスライドさせる駆動機構２７の駆動モータ２８を駆動させる。
【００４６】
これにより、図４及び図１３に示すように、スライダ２１は、図４及び図１３中矢印Ａ方向にスライドし、第１及び第２のガイドローラ３７ａ，３７ｂ，３９ａ，３９ｂに係合保持されている第１の光ディスク１０ａを回転位置まで引き込む。具体的に、スライダ２１は、駆動機構２７の駆動部材３２が天板３又はベース２６上のストッパ３２ｂに突き当たるまで図４及び図１３中矢印Ａ方向にスライドする。
【００４７】
図９及び図１４に示すように、スライダ２１を直接駆動する駆動部材３２は、天板３又はベース２６に設けられたストッパ３２ｂに突き当たり、図８中矢印Ａ方向にスライド不能となり、駆動モータ２８が駆動し続けることで、駆動モータ２８の駆動力が直接伝達されている解除部材３１のみが図９及び図１４中矢印Ａ方向に移動する。解除部材３１の先端部の押圧部３１ｃは、天板３に設けられた回動レバー６５の被押圧突起６７を押圧し、回動レバー６５を図９及び図１４中矢印Ｅ方向に回動させる。回動レバー６５は、図９及び図１４中矢印Ｅ方向に回動することで、押圧突起６６でカムプレート６１を押圧し、カムプレート６１は、コイルバネ６２の付勢力に抗して図９及び図１４中反矢印Ａ方向にスライドする。
【００４８】
すると、第１の光ディスク１０ａを係合保持することで図９及び図１４中反矢印Ｃ方向に回動している第１及び第２の回動アーム２４，２５の第１及び第２のガイドローラ３７ｂ，３９ｂは、カムプレート６１の第１の傾斜カム部６３ａ，６３ａにより更に離間する方向に押圧されることで更に回動される力が与えられる。これにより第１のガイド部材２２と第２のガイド部材２３が互いに離間される方向に移動し、第１の光ディスク１０ａは、第１及び第２のガイドローラ３７ａ，３７ｂ，３９ａ，３９ｂとの係合状態が解除され、ディスク回転駆動機構１１のディスクテーブル１１１ｂに装着された状態で、ディスクテーブル１１ｂと一体的に回転可能となる。なお、第１の光ディスク１０ａは、ディスク駆動回転機構１１、光ピックアップ１２等が配設されたベース２６が図示しないチャッキング機構によって上昇することによって、ディスク回転駆動機構１１のディスクテーブル１１ｂに回転可能な状態で装着される。
【００４９】
第１の光ディスク１０ａは、図３に示すように、ディスクテーブル１１ｂに装着される線速度又は角速度が一定となるように回転されると共に、光ピックアップ１２により光ビームが照射される。光ピックアップ１２は、第１の光ディスク１０ａで反射された戻りの光ビームを検出することにより、対物レンズ１２ａのフォーカシング制御やトラッキング制御を行う。ディスクドライブ装置１は、図示しない信号処理回路で、光ピックアップ１２で読み出した情報信号の再生を行い、また、信号処理回路で生成された記録信号を、光ピックアップ１２で光ビームを照射することによって記録する。
【００５０】
第１の光ディスク１０ａをアンローディングするときには、駆動機構２７を構成する駆動モータ２８は、ローディング時とは反対に逆転駆動される。これにより、スライダ２１は、図１４中反矢印Ａ方向にスライドする。そして、スライダ２１が初期状態よりも更に前方へ（約２〜３ｍｍ）移動し、図１９の状態になると、第１のガイド部材２２の傾斜辺先端部７１ａは、ベース２６上に設けられた突起７１に当接し、次いで、第１のガイド部材２２の傾斜辺先端部７１ａに連続した傾斜カム部７１ｂは、第１のガイド部材２２と第２のガイド部材２３が互いに離間される方向に移動する。そして、第１のガイド部材２２の先端部のガイドローラ３７ａ及び第２のガイド部材２３の先端部のガイドローラ３９ａの間隔が第１の光ディスク１０ａの直径以上に広がると、第１の光ディスク１０ａを係合保持する力がなくなり第１及び第２の回動アームによる付勢力のみが第１の光ディスク１０ａに働く。そして、第１のガイド部材２２の基端部のガイドローラ３７ｂ及び第２のガイド部材２３の基端部のガイドローラ３９ｂによって、第１の光ディスク１０ａは、ディスクドライブ装置１のディスク挿脱口より押し出されるようにして排出される。その後、駆動機構２７を構成する駆動モータ２８は、ローディング時同じ方向に駆動され、図１１の状態になったとき停止する。
【００５１】
次に、小径の第２の光ディスク１０ｂをディスクドライブ装置１に挿入してから記録再生されるまで一連の動作について説明する。
【００５２】
小径の第２の光ディスク１０ｂがディスクドライブ装置１の挿脱口より挿入されると、第２の光ディスク１０ｂの外周部は、図４及び図１５に示すように、互いに離間している第１及び第２のガイドローラ３７ａ，３９ａに係合する。更に、第２の光ディスク１０ｂが手動で押し込まれると、図４及び図１６に示すように、第１及び第２の回動アーム２４，２５は、支軸２４ａ，２５ｂを支点に図４及び図１６中反矢印Ｃ方向に回動し、第２の光ディスク１０ｂは、第１及び第２のガイドローラ３７ａ，３７ｂ，３９ａ，３９ｂにより係合保持されることになる。
【００５３】
ここで、図７（Ａ）及び図７（Ｃ）に示すように、第２の光ディスク１０ｂは、第１の光ディスク１０ａより小径であるため、第１及び第２の回動アーム２４，２５は、第２の光ディスク１０ｂが挿入された場合より互いに近接した位置で回動する。そのため、第２の回動アーム２５のガイド突起２５ｂも回動部材５１の溝部５４の短辺部５４ａに係合しない。そして、更に第２の光ディスク１０ｂが挿入されると、ガイド突起２５ｂによって、回動部材５１の第２の被押圧部５３は、押圧される。すると、回動部材５１は、図１６及び図７（Ｃ）中反矢印Ｄ方向に回動する。回動部材５１は、ガイド突起２５ｂにより第２の被押圧部５３が押圧されることにより回動し、押圧片５７で検出素子５６を押圧する。検出素子５６は、押圧片５７によって押圧されたとき、第２の光ディスク１０ｂが挿入されたことを示す検出信号を発生し、制御回路に出力し、制御回路は、このタイミングで、上述したスライダ２１をスライドさせる駆動機構２７の駆動モータ２８を駆動させる。これにより、図４及び図１６に示すように、スライダ２１は、図４及び図１６中矢印Ａ方向にスライドし、第１及び第２のガイドローラ３７ａ，３７ｂ，３９ａ，３９ｂに係合保持されている第２の光ディスク１０ｂを回転位置まで引き込む。具体的に、スライダ２１は、駆動機構２７の駆動部材３２が天板３又はベース２６上のストッパ３２ｂに突き当たるまで図４及び図１６中矢印Ａ方向にスライドする。
【００５４】
図１０及び図１７に示すように、スライダ２１を直接駆動する駆動部材３２は、天板３又はベース２６に設けられたストッパ３２ｂに突き当たり、図８中矢印Ａ方向にスライド不能となり、駆動モータ２８が駆動し続けることで、駆動モータ２８の駆動力が直接伝達されている解除部材３１のみが図１０及び図１７中矢印Ａ方向に移動する。解除部材３１の先端部の押圧部３１ｃは、天板３に設けられた回動レバー６５の被押圧突起６７を押圧し、回動レバー６５を図１０及び図１７中矢印Ｅ方向に回動させる。回動レバー６５は、図１０及び図１７中矢印Ｅ方向に回動することで、押圧突起６６でカムプレート６１を押圧し、カムプレート６１は、コイルバネ６２の付勢力に抗して図１０及び図１７中反矢印Ａ方向にスライドする。
【００５５】
ここで、小径の第２の光ディスク１０ｂを第１及び第２のガイドローラ３７ａ，３７ｂ，３９ａ，３９ｂで係合保持している回動アーム２４，２５は、第１の光ディスク１０ａを係合保持しているときと比べ互いに近接した位置で第２の光ディスク１０bを係合保持している。このため、第１及び第２のガイドローラ３７ｂ，３９ｂは、カムプレート６１のカム溝６４，６４に進入し、第２の光ディスク１０ｂを係合保持することで図８中反矢印Ｃ方向に回動している第１及び第２の回動アーム２４，２５の第１及び第２のガイドローラ３７ｂ，３９ｂは、カムプレート６１の第２の傾斜カム部６４ａ，６４ａにより更に離間する方向に押圧されることで更に回動される力が働く。その結果、図１８に示すように、第１のガイド部材２２と第２のガイド部材２３が互いに離間される方向に移動するため、第２の光ディスク１０ｂは、第１及び第２のガイドローラ３７ａ，３７ｂ，３９ａ，３９ｂとの係合状態が解除され、ディスク回転駆動機構１１のディスクテーブル１１１ｂに装着された状態で、ディスクテーブル１１ｂと一体的に回転可能となる。なお、第２の光ディスク１０ｂは、ディスク駆動回転機構１１、光ピックアップ１２等が配設されたベース２６が図示しないチャッキング機構によって上昇することによって、ディスク回転駆動機構１１のディスクテーブル１１ｂに回転可能な状態で装着される。
【００５６】
第２の光ディスク１０ｂは、第１の光ディスク１０ａの場合と同様に、ディスク回転駆動機構１１により回転され、光ピックアップ１２により情報信号の記録再生が行われる。
【００５７】
第２の光ディスク１０ｂをアンローディングするときには、駆動機構２７を構成する駆動モータ２８は、ローディング時とは反対に逆転駆動される。そして、スライダ２１が初期状態よりも更に前方へ（約２〜３ｍｍ）移動し、図２０の状態になると、第１のガイド部材２２の傾斜辺先端部７１ａは、ベース２６上に設けられた突起７２に当接した後、第１のガイド部材２２の傾斜カム部７１ｂによって、第１のガイド部材２２と第２のガイド部材２３が互いに離間される方向に移動する。そして第１のガイド部材２２の先端部のガイドローラ３７ａ及び第２のガイド部材２３の先端部のガイドローラ３９ａの間隔が第２の光ディスク１０ｂの直径以上に広がると、第２の光ディスク１０ｂを係合保持する力がなくなり第１及び第２の回動アームによる付勢力のみが第２の光ディスク１０ｂに働く。そして、第１のガイド部材２２の基端部のガイドローラ３７ｂ及び第２のガイド部材２３の基端部のガイドローラ３９ｂによって、第２の光ディスク１０ｂは、ディスクドライブ装置１のディスク挿脱口より押し出されるようにして排出される。その後、駆動機構２７を構成する駆動モータ２８は、ローディング時同じ方向に駆動され、図１５の状態になったとき停止する。
【００５８】
以上のように構成されたディスクドライブ装置１によれば、第１及び第２の回動アーム２４，２５に設けられた第１及び第２のガイドローラ３７ａ，３７ｂ，４１ａ，４１ｂにより第１及び第２の光ディスク１０ａ，１０ｂを係合保持し、スライダ２１を駆動モータ２８を駆動させることによって容易でかつ確実に第１及び第２の光ディスク１０ａ，１０ｂを搬送することができる。また、ディスクドライブ装置１では、径の異なる第１の光ディスク１０ａと第２の光ディスク１０ｂのどちらの場合においても、第１の回動アーム２４と第２の回動アーム２５が支軸２４ａ，２５ａを中心に回動する回動角は等しく、第１のガイド部材２２と第２のガイド部材２３の近接離間量を変えるだけで第１及び第２のガイドローラ３７ａ，３７ｂ，３９ａ，３９ｂにより第１の光ディスク１０ａと第２の光ディスク１０ｂを係合保持することが可能である。したがって、ディスクドライブ装置１は、径の異なる第１の光ディスク１０ａと第２の光ディスク１０ｂを簡単な構成のローディング機構２０で搬送することができるため、全体の厚さも薄くすることができ、小型化を図ることができる。
【００５９】
更に、ディスクドライブ装置１では、第１及び第２の光ディスク１０ａ，１０ｂの外周部を第１及び第２のガイドローラ３７ａ，３７ｂ，４１ａ，４１ｂで係合保持して搬送することから、第１及び第２の光ディスク１０ａ，１０ｂの外周部の粗度に依存することなく正確な位置に搬送することができる。また、第１の回動アーム２４と第２の回動アーム２５は、引っ張りコイルバネ３８，４１により回動付勢されていることで、第１及び第２の光ディスク１０ａ，１０ｂのイジェクトアームとしても機能する。ここで第１及び第２のガイド部材２２及び２３に設けられた略円弧のガイド溝２４ｃ、２５ｃの形状によって第１の回動アーム２４と第２の回動アーム２５の回動領域を調整したり、又は引っ張りコイルバネ３８，４１の付勢力を調整することで、例えば第１及び第２の光ディスク１０ａ，１０ｂを、ユーザがディスク挿脱口より取り出し易い量だけ、例えば第１及び第２の光ディスク１０ａ，１０ｂのセンタ孔の一部が外部に露出する程度に押し出すことができる。
【００６０】
以上の例では、直径が１２ｃｍの第１の光ディスク１０ａと直径が８ｃｍの光ディスク１０ｂがローディング可能なディスクドライブ装置１について説明したが、本発明では、搬送可能な径の異なる光ディスクの数は２つに限定されるものではない。また、記録媒体となるディスクは、光ディスクの他、光磁気ディスク、磁気ディスク等であってもよい。記録媒体に磁気ディスクが用いられるときは、記録及び／又は再生手段に、光ピックアップ１２に代わって磁気ヘッド装置が用いられ、記録媒体に光磁気ディスクが用いられるときには、記録及び／又は再生手段に、光ピックアップ１２と磁気ヘッド装置が設けられることになる。また、光ディスクの種類も、ＣＤやＤＶＤに限定されるものではない。
【図面の簡単な説明】
【００６１】
【図１】ディスクドライブ装置の使用状態を説明する斜視図である。
【図２】ディスクドライブ装置の分解斜視図である。
【図３】ディスクドライブ装置の平面図である。
【図４】ローディング機構の平面図である。
【図５】光ディスクの挿入を検出する検出機構の平面図である。
【図６】大径の第１の光ディスクが挿入されたときの検出機構の状態を示す図であり、（Ａ）は、第１の光ディスクの挿入時、（Ｂ）は、第１の光ディスクの挿入途中、（Ｃ）は、第１の光ディスクの挿入終期の状態を示す平面図である。
【図７】小径の第１の光ディスクが挿入されたときの検出機構の状態を示す図であり、（Ａ）は、第２の光ディスクの挿入時、（Ｂ）は、第２の光ディスクの挿入途中、（Ｃ）は、第２の光ディスクの挿入終期の状態を示す平面図である。
【図８】回転位置まで挿入された光ディスクに係合している第１及び第２のガイドローラの係合状態を解除する解除機構を示す平面図である。
【図９】大径の第１の光ディスクが挿入されたときの解除機構の状態を示す図であり、（Ａ）は、第１及び第２のガイドローラが第１の光ディスクを係合保持した状態を示す平面図であり、（Ｂ）は、第１及び第２のガイドローラが第１の光ディスクの係合状態を解除した状態を示す平面図である。
【図１０】小径の第２の光ディスクが挿入されたときの解除機構の状態を示す図であり、（Ａ）は、第１及び第２のガイドローラが第２の光ディスクを係合保持した状態を示す平面図であり、（Ｂ）は、第１及び第２のガイドローラが第２の光ディスクの係合状態を解除した状態を示す平面図である。
【図１１】第１の光ディスクが挿入された初期状態を示す平面図である。
【図１２】第１の光ディスクの挿入が検出された状態を示す平面図である。
【図１３】第１の光ディスクが回転位置まで引き込まれた状態を示す平面図である。
【図１４】第１の光ディスクが回転位置において回転可能になった状態を示す平面図である。
【図１５】第２の光ディスクが挿入された初期状態を示す平面図である。
【図１６】第２の光ディスクの挿入が検出された状態を示す平面図である。
【図１７】第２の光ディスクが回転位置まで引き込まれた状態を示す平面図である。
【図１８】第２の光ディスクが回転位置において回転可能になった状態を示す平面図である。
【図１９】ディスクドライブ装置の変形例が第１の光ディスクを排出した状態を示す平面図である。
【図２０】ディスクドライブ装置の変形例が第２の光ディスクを排出した状態を示す平面図である。
【符号の説明】
【００６２】
１  ディスクドライブ装置、２  下ケース、３  天板、４  装置本体、１０ａ  第１の光ディスク、１０ｂ  第２の光ディスク、１１  ディスク回転駆動機構、１２  光ピックアップ、２０  ローディング機構、２１  スライダ、２２  第１のガイド部材、２３  第２のガイド部材、２４  第１の回動アーム、２５  第２の回動アーム、２６  ベース、２７  駆動機構、２８  駆動モータ、３１  解除部材、３１ｃ  押圧部、３２  駆動部材、３２ｂ  ストッパ、３３  コイルバネ、３５  連結部材、３６  コイルバネ、３７ａ，３７ｂ  第１のガイドローラ、３８  引っ張りコイルバネ、３９ａ，３９ｂ  第２のガイドローラ、４１  引っ張りコイルバネ、５０  検出機構、５１  回動部材、５２  コイルバネ、５３  第２の被押圧部、５４  溝部、５５  第１の被押圧部、５６  検出素子、５７  押圧片、６０  解除機構、６１  カムプレート、６２  コイルバネ、６３  カム片、６３ａ  第１の傾斜カム部、６４  カム溝、６４ａ  第２の傾斜カム部、６５  回動レバー、６６  押圧突起、６７  被押圧突起。
【図１】
2005251362.tif 000003
【図２】
2005251362.tif 000004
【図３】
2005251362.tif 000005
【図４】
2005251362.tif 000006
【図５】
2005251362.tif 000007
【図６】
2005251362.tif 000008
【図７】
2005251362.tif 000009
【図８】
2005251362.tif 000010
【図９】
2005251362.tif 000011
【図１０】
2005251362.tif 000012
【図１１】
2005251362.tif 000013
【図１２】
2005251362.tif 000014
【図１３】
2005251362.tif 000015
【図１４】
2005251362.tif 000016
【図１５】
2005251362.tif 000017
【図１６】
2005251362.tif 000018
【図１７】
2005251362.tif 000019
【図１８】
2005251362.tif 000020
【図１９】
2005251362.tif 000021
【図２０】
2005251362.tif 000022